(57)【特許請求の範囲】
【請求項１】
被験者の生体インピーダンスに基づいて前記被験者の生体情報を測定する本体と、前記被験者の生体情報を表示する表示ユニットと、を具備する生体情報測定装置であって、
前記本体は、
測定面上に配置され、前記被験者の右足に接触する第１電極および第２電極と、
前記測定面上に配置され、前記被験者の左足に接触する第３電極および第４電極と、
前記第１電極と前記第３電極との間に測定電流を出力する電流出力部と、
前記第２電極と前記第４電極との間の電圧を検出する電圧検出部と、
前記測定電流と、前記電圧検出部で検出された電圧とに基づいて、インピーダンスを測定するインピーダンス測定部と、
前記インピーダンス測定部の測定結果の校正に用いられる校正用データを生成する校正用データ生成部と、を備え、
前記表示ユニットは、
一方の面に設けられた表示部と、
前記一方の面と対向する他方の面に設けられた第１校正用電極、第２校正用電極、第３校正用電極および第４校正用電極と、
前記第１校正用電極と前記第２校正用電極とを短絡させる第１配線と、
前記第３校正用電極と前記第４校正用電極とを短絡させる第２配線と、
それぞれが、互いに異なる抵抗値を有する複数の基準抵抗と、
前記複数の基準抵抗のうちの何れか１つを順番に選択し、その選択した前記基準抵抗を、前記第１配線上の第１ノードと、前記第２配線上の第２ノードとの間に電気的に接続させる選択部と、を備え、
前記第１ないし第４校正用電極は、前記表示ユニットの前記他方の面が前記本体の前記測定面に載せられた場合に、前記第１校正用電極は前記第１電極と、前記第２校正用電極は前記第２電極と、前記第３校正用電極は前記第３電極と、前記第４校正用電極は前記第４電極と、それぞれ接触できるように配置され、
前記表示ユニットの前記他方の面が前記本体の前記測定面に載せられたとき、
前記インピーダンス測定部は、前記第１電極および前記第３電極のうちの何れか一方の電極から、前記選択部で選択された前記基準抵抗を介して、他方の電極へ至る経路のインピーダンスを測定し、
前記校正用データ生成部は、前記インピーダンス測定部の測定結果に基づいて、前記校正用データを生成する、
ことを特徴とする生体情報測定装置。
【請求項２】
前記本体は、
前記被験者が前記測定面に載って、当該被験者の右足が前記第１電極および前記第２電極に接触する一方、当該被験者の左足が前記第３電極および前記第４電極に接触したときに、前記インピーダンス測定部にて測定されたインピーダンスの値を、前記校正用データを用いて校正する校正部をさらに備える、
ことを特徴とする請求項１に記載の生体情報測定装置。
【請求項３】
前記表示ユニットの前記他方の面が前記本体の前記測定面に載せられたとき、
前記校正用データ生成部は、前記インピーダンス測定部で測定されたインピーダンスの値が所定範囲内であるか否かを判定する判定処理を実行し、当該判定処理の結果が否定である場合は、前記校正用データの生成を行わない、
ことを特徴とする請求項１または請求項２に記載の生体情報測定装置。
【請求項４】
前記表示ユニットの前記他方の面が前記本体の前記測定面に載せられたとき、
前記校正用データ生成部は、前記インピーダンス測定部で測定されたインピーダンスの値が所定範囲内であるか否かを判定する判定処理を実行し、
前記表示ユニットは、前記判定処理の結果が否定である場合は、前記第１ないし第４校正用電極と、前記第１ないし第４電極とのそれぞれの接触状態が不良であることを知らせるエラーメッセージを前記表示部に表示するように制御する、
ことを特徴とする請求項１から請求項３の何れかに記載の生体情報測定装置。
【請求項５】
前記表示ユニットの前記他方の面が前記本体の前記測定面に載せられたとき、
前記校正用データ生成部は、前記インピーダンス測定部で測定されたインピーダンスの値が所定範囲内であるか否かを判定する判定処理を実行し、
前記表示ユニットは、前記判定処理の結果が肯定である場合は、前記インピーダンス測定部による測定結果を前記表示部に表示するように制御する、
ことを特徴とする請求項１から請求項４の何れかに記載の生体情報測定装置。
【請求項６】
被験者の生体インピーダンスに基づいて前記被験者の生体情報を測定する本体と、前記本体に接続される第１把持電極ユニットおよび第２把持電極ユニットと、前記被験者の生体情報を表示する表示ユニットと、を具備する生体情報測定装置であって、
前記第１把持電極ユニットは、
前記被験者の右手に接触する第５電極および第６電極と、前記第５電極と接続された第１端子と、前記第６電極と接続された第２端子と、を有し、
前記第２把持電極ユニットは、
前記被験者の左手に接触する第７電極および第８電極と、前記第７電極と接続された第３端子と、前記第８電極と接続された第４端子と、を有し、
前記本体は、
測定面上に配置され、前記被験者の右足に接触する第１電極および第２電極と、
前記測定面上に配置され、前記被験者の左足に接触する第３電極および第４電極と、
前記第１、３、５および７電極のうち何れか２つの間に測定電流を出力する電流出力部と、
前記第２、４、６および８電極のうち何れか２つの間の電圧を検出する電圧検出部と、
前記測定電流を供給する２つの電極と前記電圧を検出する２つの電極とを切り替えて、インピーダンスを測定するインピーダンス測定部と、
前記インピーダンス測定部の測定結果の校正に用いられる校正用データを生成する校正用データ生成部と、を備え、
前記表示ユニットは、
一方の面に設けられた表示部と、
前記一方の面と対向する他方の面に設けられた第１校正用電極、第２校正用電極、第３校正用電極および第４校正用電極と、
前記第１端子と接続可能な第５校正用電極、前記第２端子と接続可能な第６校正用電極、前記第３端子と接続可能な第７校正用電極、および、前記第４端子と接続可能な第８校正用電極と、
前記第１校正用電極と前記第２校正用電極とを短絡させる第１配線、前記第３校正用電極と前記第４校正用電極とを短絡させる第２配線、前記第５校正用電極と前記第６校正用電極とを短絡させる第３配線、および、前記第７校正用電極と前記第８校正用電極とを短絡させる第４配線と、
前記第１配線上の第１ノードと共通ノードとの間に設けられるとともに、互いに異なる抵抗値を有する複数の基準抵抗からなる第１の基準抵抗群と、
前記第２配線上の第２ノードと前記共通ノードとの間に設けられるとともに、互いに異なる抵抗値を有する複数の基準抵抗からなる第２の基準抵抗群と、
前記第３配線上の第３ノードと前記共通ノードとの間に設けられるとともに、互いに異なる抵抗値を有する複数の基準抵抗からなる第３の基準抵抗群と、
前記第４配線上の第４ノードと前記共通ノードとの間に設けられるとともに、互いに異なる抵抗値を有する複数の基準抵抗からなる第４の基準抵抗群と、
前記第１ないし第４の基準抵抗群の各々について、当該基準抵抗群を構成する複数の基準抵抗のうちの何れか１つを順番に選択し、その選択した基準抵抗を、当該基準抵抗群に対応するノードと前記共通ノードとの間に電気的に接続させる選択部と、を備え、
前記第１ないし第４校正用電極は、前記表示ユニットの前記他方の面が前記本体の前記測定面に載せられた場合に、前記第１校正用電極は前記第１電極と、前記第２校正用電極は前記第２電極と、前記第３校正用電極は前記第３電極と、前記第４校正用電極は前記第４電極と、それぞれ接触できるように配置され、
前記表示ユニットの前記他方の面が前記本体の前記測定面に載せられ、かつ、前記第１ないし第４端子と前記第５ないし第８校正用電極とがそれぞれ接続されて、前記第１把持電極ユニットおよび前記第２把持電極ユニットが前記表示ユニットに接続されたとき、
前記インピーダンス測定部は、前記第１、３、５および７電極のうちの何れか２つの電極の間を流れる測定電流の値と、前記第２、４、６および８電極のうちの何れか２つの間の電圧とに基づいてインピーダンスを測定し、
前記校正用データ生成部は、前記インピーダンス測定部の測定結果に基づいて、前記校正用データを生成する、
ことを特徴とする生体情報測定装置。
【発明の詳細な説明】
【技術分野】
【０００１】
本発明は、人体の生体情報を測定するための生体情報測定装置に関する。
【背景技術】
【０００２】
従来、被験者の生体インピーダンスの値に基づいて、被験者の生体情報を測定するという技術が知られている。例えば特許文献１には、被験者の手や足に測定電極を接触させて測定されるインピーダンスに基づいて、被験者の体脂肪などの体組成情報を測定する体組成測定装置（生体情報測定装置）が開示されている。
【先行技術文献】
【特許文献】
【０００３】
【特許文献１】特開２０１０−１１９０６号公報
【発明の概要】
【発明が解決しようとする課題】
【０００４】
このような生体情報測定装置では、被験者の生体インピーダンスの測定結果に基づいて体脂肪などの生体情報を導き出すので、インピーダンスの測定精度が十分に確保されていることが重要である。従来は、サービス業者が、インピーダンスの測定誤差の校正を行うための校正用装置を用いて校正作業を行っていたが、校正作業のたびに、生体情報測定装置とは別の校正用装置を持ち込んで作業を行う必要があるために、校正作業自体が煩わしいものになっていた。
【０００５】
以上の事情に鑑みて、本発明は、インピーダンスの測定値の校正作業を簡単に行うことが可能な生体情報測定装置を提供することを解決課題とする。
【課題を解決するための手段】
【０００６】
以上の課題を解決するために、本発明の第１の形態に係る生体情報測定装置は、被験者の生体インピーダンスに基づいて被験者の生体情報を測定する本体と、被験者の生体情報を表示する表示ユニットと、を具備する生体情報測定装置であって、本体は、測定面上に配置され、被験者の右足に接触する第１電極（右足用電流電極１４ａ）および第２電極（右足用電圧電極１４ｂ）と、測定面上に配置され、被験者の左足に接触する第３電極（左足用電流電極１４ｃ）および第４電極（左足用電圧電極）と、第１電極と第３電極との間に測定電流を出力する電流出力部と、第２電極と第４電極との間の電圧を検出する電圧検出部と、測定電流と、電圧検出部で検出された電圧とに基づいて、インピーダンスを測定するインピーダンス測定部と、インピーダンス測定部の測定結果の校正に用いられる校正用データを生成する校正用データ生成部と、を備え、表示ユニットは、一方の面に設けられた表示部と、一方の面と対向する他方の面に設けられた第１校正用電極、第２校正用電極、第３校正用電極および第４校正用電極と、第１校正用電極と第２校正用電極とを短絡させる第１配線と、第３校正用電極と第４校正用電極とを短絡させる第２配線と、それぞれが、互いに異なる抵抗値を有する複数の基準抵抗（第１基準抵抗Rf1，第２基準抵抗Rf2）と、複数の基準抵抗のうちの何れか１つを順番に選択し、その選択した基準抵抗を、第１配線上の第１ノードと、第２配線上の第２ノードとの間に電気的に接続させる選択部と、を備え、第１ないし第４校正用電極は、表示ユニットの他方の面が本体の測定面に載せられた場合に、第１校正用電極は第１電極と、第２校正用電極は第２電極と、第３校正用電極は第３電極と、第４校正用電極は第４電極と、それぞれ接触できるように配置され、表示ユニットの他方の面が本体の測定面に載せられたとき、インピーダンス測定部は、第１電極および第３電極のうちの何れか一方の電極から、選択部で選択された基準抵抗を介して、他方の電極へ至る経路のインピーダンスを測定し、校正用データ生成部は、インピーダンス測定部の測定結果に基づいて、校正用データを生成することを特徴とする。
【０００７】
本発明の第１の形態においては、第１校正用電極が第１電極と、第２校正用電極が第２電極と、第３校正用電極が第３電極と、第４校正用電極が第４電極とそれぞれ接触するように、表示ユニットが本体の測定面に載せられると、インピーダンス測定部は、第１電極および第３電極のうちの何れか一方の電極から、選択部で選択された基準抵抗を介して、他方の電極へ至る経路のインピーダンスを測定する。そして、校正用データ生成部は、インピーダンス測定部の測定結果に基づいて、校正用データを生成する。すなわち、第１の形態によれば、表示ユニットを本体の測定面に載せるだけで、校正用データが得られるので、生体情報測定装置とは別個の校正用装置を持ち込んで校正作業を行う場合に比べて、校正作業を簡単に行うことができるという利点がある。
【０００８】
上述の第１の形態の態様として、本体は、被験者が測定面に載って、当該被験者の右足が第１電極および第２電極に接触する一方、当該被験者の左足が第３電極および第４電極に接触したときに、インピーダンス測定部にて測定されたインピーダンスの値を、校正用データを用いて校正する校正部をさらに備える。これにより、インピーダンスの測定値の誤差が校正されるので、インピーダンスの測定精度を十分に確保できる。
【０００９】
上述の第１の形態の態様として、表示ユニットの他方の面が本体の測定面に載せられたとき、校正用データ生成部は、インピーダンス測定部で測定されたインピーダンスの値が所定範囲内であるか否かを判定する判定処理を実行し、当該判定処理の結果が否定である場合は、校正用データの生成を行わない。
【００１０】
また、表示ユニットは、上記判定処理の結果が否定である場合は、第１ないし第４校正用電極と、第１ないし第４電極とのそれぞれの接触状態が不良であることを知らせるエラーメッセージを表示部に表示するように制御する。これにより、ユーザーは、本体の測定面上における表示ユニットの位置が適切であるか否かを知ることができる。
【００１１】
一方、表示ユニットは、上記判定処理の結果が肯定である場合は、インピーダンス測定部による測定結果を表示部に表示するように制御する。これにより、ユーザーは、本体の測定面上における表示ユニットの位置が適切である場合は、インピーダンス測定部による測定結果を知ることができるという具合である。
【００１２】
また、本発明に係る生体情報測定装置の第２の形態として、被験者の生体インピーダンスに基づいて被験者の生体情報を測定する本体と、本体に接続される第１把持電極ユニットおよび第２把持電極ユニットと、被験者の生体情報を表示する表示ユニットと、を具備する生体情報測定装置であって、第１把持電極ユニットは、被験者の右手に接触する第５電極（右手用電流電極２６ａ）および第６電極（右手用電圧電極２７ａ）と、第５電極と接続された第１端子と、第６電極と接続された第２端子と、を有し、第２把持電極ユニットは、被験者の左手に接触する第７電極（左手用電流電極２６ｂ）および第８電極（左手用電圧電極２７ｂ）と、第７電極と接続された第３端子と、第８電極と接続された第４端子と、を有し、本体は、測定面上に配置され、被験者の右足に接触する第１電極（右足用電流電極１４ａ）および第２電極（右足用電圧電極１４ｂ）と、測定面上に配置され、被験者の左足に接触する第３電極（左足用電流電極１４ｃ）および第４電極（左足用電圧電極１４ｄ）と、第１、３、５および７電極のうち何れか２つの間に測定電流を出力する電流出力部と、第２、４、６および８電極のうち何れか２つの間の電圧を検出する電圧検出部と、測定電流を供給する２つの電極と電圧を検出する２つの電極とを切り替えて、インピーダンスを測定するインピーダンス測定部と、インピーダンス測定部の測定結果の校正に用いられる校正用データを生成する校正用データ生成部と、を備え、表示ユニットは、一方の面に設けられた表示部と、一方の面と対向する他方の面に設けられた第１校正用電極、第２校正用電極、第３校正用電極および第４校正用電極と、第１端子と接続可能な第５校正用電極、第２端子と接続可能な第６校正用電極、第３端子と接続可能な第７校正用電極、および、第４端子と接続可能な第８校正用電極と、第１校正用電極と第２校正用電極とを短絡させる第１配線、第３校正用電極と第４校正用電極とを短絡させる第２配線、第５校正用電極と第６校正用電極とを短絡させる第３配線、および、第７校正用電極と第８校正用電極とを短絡させる第４配線と、第１配線上の第１ノードと共通ノードとの間に設けられるとともに、互いに異なる抵抗値を有する複数の基準抵抗からなる第１の基準抵抗群と、第２配線上の第２ノードと共通ノードとの間に設けられるとともに、互いに異なる抵抗値を有する複数の基準抵抗からなる第２の基準抵抗群と、第３配線上の第３ノードと共通ノードとの間に設けられるとともに、互いに異なる抵抗値を有する複数の基準抵抗からなる第３の基準抵抗群と、第４配線上の第４ノードと共通ノードとの間に設けられるとともに、互いに異なる抵抗値を有する複数の基準抵抗からなる第４の基準抵抗群と、第１ないし第４の基準抵抗群の各々について、当該基準抵抗群を構成する複数の基準抵抗のうちの何れか１つを順番に選択し、その選択した基準抵抗を、当該基準抵抗群に対応するノードと共通ノードとの間に電気的に接続させる選択部と、を備え、第１ないし第４校正用電極は、表示ユニットの他方の面が本体の測定面に載せられた場合に、第１校正用電極は第１電極と、第２校正用電極は第２電極と、第３校正用電極は第３電極と、第４校正用電極は第４電極と、それぞれ接触できるように配置され、表示ユニットの他方の面が本体の測定面に載せられ、かつ、第１ないし第４端子と第５ないし第８校正用電極とがそれぞれ接続されて、第１把持電極ユニットおよび第２把持電極ユニットが表示ユニットに接続されたとき、インピーダンス測定部は、第１、３、５および７電極のうちの何れか２つの電極の間を流れる測定電流の値と、第２、４、６および８電極のうちの何れか２つの間の電圧とに基づいてインピーダンスを測定し、校正用データ生成部は、インピーダンス測定部の測定結果に基づいて、校正用データを生成することを特徴とする。
【００１３】
本発明の第２の形態においては、第１校正用電極が第１電極と、第２校正用電極が第２電極と、第３校正用電極が第３電極と、第４校正用電極が第４電極とそれぞれ接触するように、表示ユニットの他方の面が本体の測定面に載せられ、かつ、第１ないし第４端子と第５ないし第８校正用電極とがそれぞれ接続されると（第１把持電極ユニットおよび第２把持電極ユニットと表示ユニットが接続されると）、インピーダンス測定部は、第１、３、５、７電極のうちの何れか２つの電極の間を流れる測定電流の値と、第２、４、６、８電極のうちの何れか２つの間の電位差とに基づいてインピーダンスを測定する。そして、校正用データ生成部は、インピーダンス測定部の測定結果に基づいて、校正用データを生成する。すなわち、第２の形態によれば、表示ユニットの裏面を本体の測定面上に載せるとともに、第１ないし第４端子と第５ないし第８校正用電極とをそれぞれ接続する（第１把持電極ユニットおよび第２把持電極ユニットと表示ユニットを接続する）だけで、校正用データが得られるので、生体情報測定装置とは別個の校正用装置を持ち込んで校正作業を行う場合に比べて、校正作業を簡単に行うことができるという利点がある。
【図面の簡単な説明】
【００１４】
【図１】本発明の第１実施形態に係る生体情報測定装置の外観を示す斜視図である。
【図２】表示ユニットを裏面側から見たときの平面図である。
【図３】第１実施形態に係る生体情報測定装置の構成を示すブロック図である。
【図４】第１実施形態におけるインピーダンス測定ボードの詳細な構成を示すブロック図である。
【図５】複数の基準抵抗と、第１ないし第４校正用電極との接続関係を説明するための図である。
【図６】校正用データ生成処理の具体的な内容を示すフローチャートである。
【図７】校正用データ生成処理で得られた校正用データの一例を示す図である。
【図８】本発明の第２実施形態に係る生体情報測定装置の外観を示す斜視図である。
【図９】第２実施形態に係る生体情報測定装置の構成を示すブロック図である。
【図１０】第２実施形態におけるインピーダンス測定ボードの詳細な構成を示すブロック図である。
【図１１】第２実施形態における生体電気インピーダンスの測定を説明するための図である。
【図１２】複数の基準抵抗群と、第１ないし第８校正用電極との接続関係を説明するための図である。
【発明を実施するための形態】
【００１５】
＜Ａ：第１実施形態＞
図１は、本発明の第１実施形態に係る生体情報測定装置１００の外観を示す斜視図である。図１に示すように、生体情報測定装置１００は、本体１１と、本体１１に固定された支柱１２と、支柱１２に対して分離可能な表示ユニット２０とを備える。平たい本体１１は、水平な測定面１３を有する。測定面１３上には、測定用電極１４が設置される。より具体的には、測定面１３上には、左右一対の右足用電流電極１４ａおよび左足用電流電極１４ｃと、左右一対の右足用電圧電極１４ｂおよび左足用電圧電極１４ｄとが設置される。右足用電流電極１４ａ、右足用電圧電極１４ｂ、左足用電流電極１４ｃおよび左足用電圧電極１４ｄの各々は、例えばステンレス鋼といった金属材料その他の導電材から形成される。生体情報測定装置１００の利用者（ユーザー）が測定面１３上に載ると、ユーザーの右足の足裏は右足用電流電極１４ａおよび右足用電圧電極１４ｂに接触する一方、ユーザーの左足の足裏は左足用電流電極１４ｃおよび左足用電圧電極１４ｄに接触するという具合である。
【００１６】
図１に示すように、測定面１３の前方で本体１１には支柱１２が固定される。支柱１２は、本体１１から鉛直方向の上向きに立ち上がる（延在する）。ここで、鉛直方向の下向きは重力方向に一致する。支柱１２の延在方向の先端には、表示ユニット２０が分離可能に連結される。略板状の表示ユニット２０は、支柱１２に連結される側の面２１（「裏面２１」）と、裏面２１に対向する面２２（「表面２２」と呼ぶ）とを有する。表示ユニット２０の表面２２には、表示部２３と、入力キー（図示省略）とが設けられる。表示部２３には様々な情報が表示される。情報には、例えばユーザーの体重、体脂肪率、生体インピーダンスといった情報が含まれる。また、ユーザーが入力キーを操作すると、その操作に応じて、表示ユニット２０には指令やデータが入力され得る。
【００１７】
図２は、表示ユニット２０を、その裏面２１側から見たときの平面図である。図２に示すように、表示ユニット２０の裏面２１には、校正用電極３０が設けられる。より具体的には、表示ユニット２０の裏面２１には、第１校正用電極３０ａ、第２校正用電極３０ｂ、第３校正用電極３０ｃおよび第４校正用電極３０ｄの４つからなる校正用電極３０が設けられる。本実施形態では、支柱１２から取り外した表示ユニット２０は、本体１１の測定面１３上に載せることが可能である。第１ないし第４校正用電極（３０ａ，３０ｂ，３０ｃ，３０ｄ）は、表示ユニット２０の裏面２１が本体１１の測定面１３上に載せられた場合に、第１校正用電極３０ａは右足用電流電極１４ａと、第２校正用電極３０ｂは右足用電圧電極１４ｂと、第３校正用電極３０ｃは左足用電流電極１４ｃと、第４校正用電極３０ｄは左足用電圧電極１４ｄと、それぞれ接触できるように配置される。
【００１８】
図３は、本実施形態に係る生体情報測定装置１００の構成を示すブロック図である。図３に示すように、本体１１内には重量測定ボード４０が組み込まれる。重量測定ボード４０には、重量センサ４２が接続される。被験者（ユーザー）が本体１１の測定面１３に載ると、重量センサ４２は、当該被験者の重量に応じた電気信号を出力する。重量センサ４２から出力された電気信号は重量測定ボード４０に供給される。重量測定ボード４０は、重量センサ４２から出力された電気信号に基づいて、当該被験者の重量値を示す重量信号を生成する。このようにして、重量測定ボード４０は、測定面１３上に載せられた対象物の重量値を示す重量信号（測定値データ）を生成する。
【００１９】
図３に示すように、本体１１内にはインピーダンス測定ボード５０Ａが組み込まれる。インピーダンス測定ボード５０Ａには、本体１１の測定面１３上に設けられた右足用電流電極１４ａ、右足用電圧電極１４ｂ、左足用電流電極１４ｃおよび左足用電圧電極１４ｄが接続される。インピーダンス測定ボード５０Ａは、いわゆる４電極法によって被験者の生体インピーダンスを測定することができる。
【００２０】
図４は、第１実施形態に係るインピーダンス測定ボード５０Ａの詳細な構成を示すブロック図である。図４に示すように、インピーダンス測定ボード５０Ａは、交流電流出力回路５１と、基準電流検出回路５２と、電圧検出回路５３と、Ａ／Ｄ変換器５４と、インピーダンス測定ボード５０Ａ全体の動作を統括するとともに各種の制御処理を実行する制御部５５とを備える。交流電流出力回路５１は基準電流Ｉrefを生成する。交流電流出力回路５１は、基準電流Ｉrefの実効値が予め定められた値となるように、当該基準電流Ｉrefを生成する。基準電流検出回路５２は、右足用電流電極１４ａと左足用電流電極１４ｃとの間に流れる基準電流Ｉrefの大きさを検出して電流データＤｉとして制御部５５に出力するとともに、右足用電流電極１４ａおよび左足用電流電極１４ｃに接触する導電体（例えば人体）に基準電流Ｉrefを通電する。右足用電流電極１４ａおよび左足用電流電極１４ｃに人体などの導電体が接触した場合は、右足用電流電極１４ａおよび左足用電流電極１４ｃのうちの一方の電極から、当該導電体を介して他方の電極へ至る電流経路が形成され、当該電流経路には基準電流Ｉrefが流れる。すなわち、右足用電流電極１４ａおよび左足用電流電極１４ｃに導電体が接触している場合は、右足用電流電極１４ａと左足用電流電極１４ｃとの間に基準電流Ｉrefが流れる。他方、右足用電流電極１４ａおよび左足用電流電極１４ｃに導電体が接触していない場合は、電流経路が形成されず、右足用電流電極１４ａと左足用電流電極１４ｃとの間に基準電流Ｉrefは流れないという具合である。
【００２１】
さらに、電圧検出回路５３は、右足用電圧電極１４ｂと左足用電圧電極１４ｄとの間の電圧を検出して電圧信号ΔＶを生成する。Ａ／Ｄ変換器５４は、電圧信号ΔＶをアナログ信号からデジタル信号に変換し電圧データＤｖとして制御部５５に出力する。制御部５５は、電圧データＤｖと電流データＤｉとに基づいて、インピーダンス（＝Ｄｖ／Ｄｉ）を算出する。このようにして、インピーダンス測定ボード５０Ａは、インピーダンス値を示すインピーダンス信号（測定値データ）を生成する。
【００２２】
再び図３に戻って説明を続ける。図３に示すように、本体１１内には測定部制御ボード６０が組み込まれる。測定部制御ボード６０には、重量測定ボード４０およびインピーダンス測定ボード５０Ａが接続される。測定部制御ボード６０は、重量測定ボード４０およびインピーダンス測定ボード５０Ａから測定値データである重量信号とインピーダンス信号とを取得する。測定部制御ボード６０は、重量信号およびインピーダンス信号を用いて、生体に関する生体情報を算出する。算出される生体情報としては、生体の体組成に関する指標が含まれる。体組成に関する指標としては、体脂肪率などが挙げられる。この算出にあたって前述の重量値およびインピーダンス値が用いられる。算出方法は、例えばソフトウェアプログラムに基づき設定される。ソフトウェアプログラムは例えば不揮発性メモリ（図示省略）に格納されればよい。
【００２３】
図３に示すように、表示ユニット２０内には、それぞれの抵抗値が互いに異なる第１基準抵抗Rf1および第２基準抵抗Rf2と、第１基準抵抗Rf1および第２基準抵抗Rf2の何れか一方を選択する選択部７０Ａとが設けられる。図５は、第１基準抵抗Rf1および第２基準抵抗Rf2と、第１ないし第４校正用電極（３０ａ，３０ｂ，３０ｃ，３０ｄ）との接続関係を説明するための図である。図５に示すように、第１基準抵抗Rf1および第２基準抵抗Rf2は、第１校正用電極３０ａと第２校正用電極３０ｂとを短絡させる第１配線L1上の第１ノードND1と、第３校正用電極３０ｃと第４校正用電極３０ｄとを短絡させる第２配線L2上の第２ノードND2との間に配置される。本実施形態では、第１基準抵抗Rf1および第２基準抵抗Rf2と、第１ノードND1との間には、選択用スイッチSWが設けられる。選択用スイッチSWは、選択部７０Ａから出力される選択信号SELに応じて、第１基準抵抗Rf1および第２基準抵抗Rf2のうちの何れか一方を、第１ノードND1に導通させる。つまり、第１基準抵抗Rf1および第２基準抵抗Rf2のうち選択部７０Ａによって選択された基準抵抗は、第１配線L1上の第１ノードND1と、第２配線L2上の第２ノードND2との間に電気的に接続されるという具合である。
【００２４】
再び図３に戻って説明を続ける。図３に示すように、表示ユニット２０内には、表示部制御ボード８０が組み込まれる。表示部制御ボード８０には、表示部２３と入力キー２４と選択部７０Ａとが接続される。ユーザーが入力キー２４を操作することで、各種のデータや指令が表示部制御ボード８０に入力される。表示部制御ボード８０は、その入力されたデータや指令に応じて、表示部２３や選択部７０Ａを制御する。また、表示部制御ボード８０は、ケーブル１を介して本体２０内の測定部制御ボード６０と接続される。表示部制御ボード８０にはコネクタ２、測定部制御ボード６０にはコネクタ３が実装される。ケーブル１の両端にはコネクタ４、５が接続される。コネクタ２、３はそれぞれコネクタ４、５に着脱自在に接続される。こうして、表示部制御ボード８０と測定部制御ボード６０との間に信号線が確立され、表示部制御ボード８０および測定部制御ボード６０の間で信号のやり取りが行われる。
【００２５】
また、図３に示すように、本体１１内には、電源ボード９０が組み込まれる。電源ボード９０は、測定部制御ボード６０と接続される。電源ボード９０からの電力は測定部制御ボード６０に供給される。そして、測定部制御ボード６０から、重量測定ボード４０、インピーダンス測定ボード５０Ａおよび表示部制御ボード８０に電力が供給されるという具合である。
【００２６】
次に、生体情報測定装置１００のユーザーまたはサービス業者が、インピーダンス測定ボード５０Ａの校正作業を行う場面を想定する。まず、ユーザーまたはサービス業者は、表示ユニット２０を本体１１の測定面１３上に載せる。具体的には、ユーザーまたはサービス業者は、第１校正用電極３０ａが右足用電流電極１４ａと、第２校正用電極３０ｂが右足用電圧電極１４ｂと、第３校正用電極３０ｃが左足用電流電極１４ｃと、第４校正用電極３０ｄが左足用電圧電極１４ｄとそれぞれ接触するように、表示ユニット２０の裏面２１を測定面１３上に載せるという具合である。続いて、ユーザーまたはサービス業者が入力キー２４を操作して電源を投入すると、表示ユニット２０の表示部２３には、ユーザー（被験者）の生体情報の測定を実行する測定モード、および、インピーダンス測定ボード５０Ａの校正に用いられる校正用データを生成する校正モードのうちの何れかを選択することを促す画面が表示される。ユーザーまたはサービス業者が入力キー２４を操作して校正モードを選択すると、表示ユニット２０内の表示部制御ボード８０は、校正モードが選択されたことを示す情報を本体１１内の測定部制御ボード６０へ送信する。測定部制御ボード６０は、その情報を受信すると、生体情報測定装置１００の動作モードを校正モードに設定して、校正用データを生成する処理（「校正用データ生成処理」と呼ぶ）を開始する。
【００２７】
図６は、本実施形態に係る生体情報測定装置１００が実行する校正用データ生成処理の具体的な内容を示すフローチャートである。まず、測定部制御ボード６０は、表示ユニット２０内の第１基準抵抗Rf1および第２基準抵抗RF2のうち第１基準抵抗Rf1を選択するように表示ユニット２０を制御する（ステップＳ１）。具体的には、測定部制御ボード６０は、第１基準抵抗Rf1の選択を指示する信号を、表示ユニット２０内の表示部制御ボード８０へ送信する。当該信号を受信した表示部制御ボード８０は、第１基準抵抗Rf1を選択するように選択部７０Ａを制御する。前述したように、選択部７０Ａにて選択された第１基準抵抗Rf1は、第１配線L1上の第１ノードND1と第２配線L2上の第２ノードND2との間に電気的に接続されるので、右足用電流電極１４ａおよび左足用電流電極１４ｃのうちの一方の電極から、第１基準抵抗Rf1を介して他方の電極へ至る電流経路が形成される。
【００２８】
ステップＳ１の後、測定部制御ボード６０は、インピーダンス測定処理を実行するようにインピーダンス測定ボード５０Ａを制御する（ステップＳ２）。インピーダンス測定ボード５０Ａは、右足用電流電極１４ａおよび左足用電流電極１４ｃのうちの一方の電極から第１基準抵抗Rf1を介して他方の電極へ至る電流経路を流れる基準電流Ｉrefの大きさを示す電流データＤｉと、右足用電圧電極１４ｂと左足用電圧電極１４ｄとの間の電圧を示す電圧データＤｖとから、インピーダンス（＝Ｄｖ／Ｄｉ）を算出し、その測定値データを測定部制御ボード６０へ送る。このときの測定値データの理想値は、第１基準抵抗Rf1の抵抗値に等しい値となる。
【００２９】
測定部制御ボード６０は、インピーダンス測定ボード５０Ａから取得したインピーダンスの測定値データが、所定の範囲内の値を示すものであるか否かを判定する（ステップＳ３）。ステップＳ３の結果が否定である場合、つまり、インピーダンスの測定値データが所定の範囲外の値を示すものであった場合、測定部制御ボード６０は、校正用電極３０と測定用電極１４との接触状態が不良であると判定し、校正用データ生成処理を中止する。そして、測定部制御ボード６０は、校正用電極３０と測定用電極１４との接触状態が不良であることを知らせるエラーメッセージを表示するように表示ユニット２０を制御する（ステップＳ４）。具体的には、測定部制御ボード６０は、エラーメッセージの表示を指示する信号を表示ユニット２０内の表示部制御ボード８０へ送信する。当該信号を受信した表示部制御ボード８０は、エラーメッセージを表示するように表示部２３を制御する。これにより、ユーザーまたはサービス業者は、表示ユニット２０が測定面１３上の適切な位置に載せられていないことを認識できる。この場合、ユーザーまたはサービス業者は、測定面１３上における表示ユニット２０の位置を修正したうえで、再び入力キー２４を操作して校正モードを選択する。これにより、再び校正用データ生成処理が開始されるという具合である。
【００３０】
一方、ステップＳ３の結果が肯定である場合、測定部制御ボード６０は、インピーダンス測定ボード５０Ａから取得した測定値データをメモリ（不図示）に記憶するとともに、その測定値データを表示するように表示ユニット２０を制御する（ステップＳ５）。具体的には、測定部制御ボード６０は、当該測定値データの表示を指示する信号を表示ユニット２０内の表示部制御ボード８０へ送信する。当該信号を受信した表示部制御ボード８０は、当該測定値データを表示するように表示部２３を制御するという具合である。
【００３１】
ステップＳ５の後、測定部制御ボード６０は、表示ユニット２０内の第１基準抵抗Rf1および第２基準抵抗Rf2のうち第２基準抵抗Rf2を選択するように表示ユニット２０を制御する（ステップＳ６）。具体的には、測定部制御ボード６０は、第２基準抵抗Rf2の選択を指示する信号を、表示ユニット２０内の表示部制御ボード８０へ送信する。当該信号を受信した表示部制御ボード８０は、第２基準抵抗Rf2を選択するように選択部７０Ａを制御する。選択部７０Ａにて選択された第２基準抵抗Rf2は、第１配線L1上の第１ノードND1と第２配線L2上の第２ノードND2との間に電気的に接続されるので、右足用電流電極１４ａおよび左足用電流電極１４ｃのうちの一方の電極から、第２基準抵抗Rf2を介して他方の電極へ至る電流経路が形成される。
【００３２】
ステップＳ６の後、測定部制御ボード６０は、インピーダンス測定処理を実行するようにインピーダンス測定ボード５０Ａを制御する（ステップＳ７）。インピーダンス測定ボード５０Ａは、右足用電流電極１４ａおよび左足用電流電極１４ｃのうちの一方の電極から第２基準抵抗Rf2を介して他方の電極へ至る電流経路を流れる基準電流Ｉrefの大きさを示す電流データＤｉと、右足用電圧電極１４ｂと左足用電圧電極１４ｄとの間の電圧を示す電圧データＤｖとから、インピーダンス（＝Ｄｖ／Ｄｉ）を算出し、その測定値データを測定部制御ボード６０へ送る。このときの測定値データの理想値は、第２基準抵抗Rf2の抵抗値に等しい値となる。
【００３３】
測定部制御ボード６０は、インピーダンス測定ボード５０Ａから取得したインピーダンスの測定値データが、所定の範囲内の値を示すものであるか否かを判定する（ステップＳ８）。ステップＳ８の結果が否定である場合、測定部制御ボード６０は、校正用電極３０と測定用電極１４との接触状態が不良であると判定し、校正用データ生成処理を中止する。そして、測定部制御ボード６０は、前述のステップＳ４と同様に、エラーメッセージを表示するように表示ユニット２０を制御する（ステップＳ９）。一方、ステップＳ８の結果が肯定である場合、測定部制御ボード６０は、前述のステップＳ５と同様に、インピーダンス測定ボード５０Ａから取得した測定値データをメモリ（不図示）に記憶するとともに、その測定値データを表示するように表示ユニット２０を制御する（ステップＳ１０）。
【００３４】
ステップＳ１０の後、測定部制御ボード６０は、上述のインピーダンスの測定結果に基づいて、校正用データを作成するとともに、その校正用データをメモリ（不図示）に記憶する（ステップＳ１１）。より具体的には、以下のとおりである。いま、第１基準抵抗Rf1の値が１００Ω、第２基準抵抗Rf2の値が３００Ωである一方、図６のステップＳ２のインピーダンス測定処理での測定値データが９０Ωを示し、図６のステップＳ７のインピーダンス測定処理での測定値データが３２０Ωを示す場合を想定する。この場合、測定部制御ボード６０は、第１基準抵抗Rf1および第２基準抵抗Rf2の値（つまり真のインピーダンス値）と、インピーダンス測定ボード５０Ａから取得した測定値データとに基づいて、校正用データを作成する。校正用データは、測定値データと真のインピーダンス値との関係を示すデータである。より具体的には、測定部制御ボード６０は、第１基準抵抗Rf1および第２基準抵抗Rf2の値と、インピーダンス測定ボード５０Ａから取得した測定値データとに基づいて、以下の式（１）で表される校正用データを作成し、その作成した式をメモリ（不図示）に記憶する。
Ｙ＝ａ×Ｘ＋ｂ  ・・・（１）
上記式（１）において、Ｙは真のインピーダンス値を示し、Ｘは測定値データを示す。なお、ａおよびｂは定数である。
本実施形態では、測定部制御ボード６０が作成する校正用データは、図７に示されるような直線を表す式であるが、これに限らず、測定部制御ボード６０は、測定値データと真のインピーダンス値とが対応付けられたデータテーブルを校正用データとして作成してもよい。以上で、校正用データ生成処理は終了する。
【００３５】
測定部制御ボード６０は、測定モードにおいてインピーダンス測定ボード５０Ａから取得した測定値データを、上述の校正用データ生成処理で作成した校正用データを用いて校正する。より具体的には、以下のとおりである。ユーザーが、表示ユニット２０の入力キー２４を操作して測定モードを選択すると、本体１１内の測定部制御ボード６０は、生体情報測定装置１００の動作モードを測定モードに設定する。そして、ユーザーが本体１１の測定面１３上に載って、当該ユーザーの右足が右足用電流電極１４ａおよび右足用電圧電極１４ｂに接触する一方、当該ユーザーの左足が左足用電流電極１４ｃおよび左足用電圧電極１４ｄに接触すると、右足用電流電極１４ａおよび左足用電流電極１４ｃのうちの一方の電極からユーザー（人体）を介して他方の電極へ至る電流経路が形成される。このとき、測定部制御ボード６０は、インピーダンス測定ボード５０Ａから取得した測定値データを、メモリ（不図示）に記憶されている校正用データを用いて校正する。より具体的には、測定部制御ボード６０は、インピーダンス測定ボード５０Ａから取得した測定値データを、メモリ（不図示）に記憶されている上記式（１）に代入して、真のインピーダンス値を求めるという具合である。これにより、インピーダンスの測定精度が十分に確保されるという具合である。
【００３６】
以上に説明したように、本実施形態では、第１校正用電極３０ａが右足用電流電極１４ａと、第２校正用電極３０ｂが右足用電圧電極１４ｂと、第３校正用電極３０ｃが左足用電流電極１４ｃと、第４校正用電極３０ｄが左足用電圧電極１４ｄとそれぞれ接触するように、表示ユニット２０が本体１１の測定面１３上に載せられると、本体１１内の測定部制御ボード６０は、右足用電流電極１４ａおよび左足用電流電極１４ｃのうちの一方の電極から選択部７０Ａで選択された基準抵抗を介して他方の電極へ至る電流経路のインピーダンスを測定するようにインピーダンス測定ボード５０Ａを制御する。そして、測定部制御ボード６０は、その測定結果と基準抵抗の値とに基づいて校正用データを生成する。すなわち、本実施形態によれば、表示ユニット２０を本体１１の測定面１３上に載せるだけで、校正用データが得られるので、生体情報測定装置１００とは別個の校正用装置を持ち込んで校正作業を行う態様に比べて、校正作業を簡単に行うことができるという利点がある。また、本実施形態によれば、表示ユニット２０を本体１１の測定面１３上に載せるだけで校正用データが得られるので、サービス業者に限らず、生体情報測定装置１００のユーザーであっても簡単に校正作業を行うことができるという利点もある。
【００３７】
＜Ｂ：第２実施形態＞
次に、本発明の第２実施形態について説明する。なお、第２実施形態において作用や機能が第１実施形態と同等である要素については、第１実施形態と同じ符号を付して各々の詳細な説明を適宜に省略する。本発明の第２実施形態に係る生体情報測定装置２００は、両手用の電極を備え、これを用いてより正確に体幹部の生体電気インピーダンスを測定できる点で上述の第１実施形態と相違する。
【００３８】
図８は、第２実施形態に係る生体情報測定装置２００の外観を示す斜視図である。図８に示すように、支柱１２には、所定の高さで、右手用の第１把持電極ユニット２５ａおよび左手用の第２把持電極ユニット２５ｂが着脱自在に支持される。第１把持電極ユニット２５ａには、電流電極２６および電圧電極２７が取り付けられる。同様に、第２把持電極ユニット２５ｂには、電流電極２６および電圧電極２７が取り付けられる。生体情報測定装置２００のユーザー（被験者）が右手で第１把持電極ユニット２５ａを掴むと、電流電極２６および電圧電極２７は右手の手のひらに接触する。同様に、ユーザーが左手で第２把持電極ユニット２５ｂを掴むと、電流電極２６および電圧電極２７は左手の手のひらに接触する。
【００３９】
図９は、第２実施形態に係る生体情報測定装置２００の構成を示すブロック図である。図９に示すように、第１把持電極ユニット２５ａには、右手用電流電極２６ａと、右手用電圧電極２７ａと、導線２８を介して右手用電流電極２６ａが接続される第１端子T1と、導線２８を介して右手用電圧電極２７ａと接続される第２端子T2とが設けられる。また、第２把持電極ユニット２５ｂには、左手用電流電極２６ｂと、左手用電圧電極２７ｂと、導線２８を介して左手用電流電極２６ｂに接続される第３端子T3と、導線２８を介して左手用電圧電極２７ｂに接続される第４端子T4とが設けられる。
【００４０】
第１把持電極ユニット２５ａは、１本のケーブル２９ａを介して本体１１に搭載されたコネクタ３２ａに接続される。当該ケーブル２９ａ内には、右手用電流電極２６ａおよび右手用電圧電極２７ａごとに信号線が設けられており、ケーブル２９ａの先端にはコネクタ３３ａが結合される。一方、本体１１に搭載されたコネクタ３２ａはインピーダンス測定ボード５０Ｂに接続される。コネクタ３２ａとインピーダンス測定ボード５０Ｂとの間は、右手用電流電極２６ａおよび右手用電圧電極２７ａごとに信号線で接続されている。本体１１に搭載されたコネクト３２ａと、ケーブル２９ａの先端に結合されたコネクタ３３ａとが連結されると、右手用電流電極２６ａおよび右手用電圧電極２７ａからインピーダンス測定ボード５０Ｂまで個別の信号線が確立する。
【００４１】
同様に、第２把持電極ユニット２５ｂは、１本のケーブル２９ｂを介して本体１１に搭載されたコネクタ３２ｂに接続される。当該ケーブル２９ｂ内には、左手用電流電極２６ｂおよび左手用電圧電極２７ｂごとに信号線が設けられており、ケーブル２９ｂの先端にはコネクタ３３ｂが結合される。一方、本体１１に搭載されたコネクタ３２ｂはインピーダンス測定ボード５０Ｂに接続される。コネクタ３２ｂとインピーダンス測定ボード５０Ｂとの間は、左手用電流電極２６ｂおよび左手用電圧電極２７ｂごとに信号線で接続されている。本体１１に搭載されたコネクト３２ｂと、ケーブル２９ｂの先端に結合されたコネクタ３３ｂとが連結されると、左手用電流電極２６ｂおよび左手用電圧電極２７ｂからインピーダンス測定ボード５０Ｂまで個別の信号線が確立する。このようにして、第１把持電極ユニット２５ａおよび第２把持電極ユニット２５ｂの各々は、本体１１に対して着脱自在に接続されうる。
【００４２】
図１０は、第２実施形態におけるインピーダンス測定ボード５０Ｂの詳細な構成を示すブロック図である。インピーダンス測定ボード５０Ｂは、電極切替回路２５１および２５２を備える点を除いて、第１実施形態に係るインピーダンス測定ボード５０Ａと同様に構成されている。電極切替回路２５１および２５２は、制御部５５の制御の下、インピーダンス測定に用いる電極を選択する。
【００４３】
インピーダンス測定ボード５０Ｂは、ユーザーの両手および両足に接触される８個の電極（１４ａ，１４ｂ，１４ｃ，１４ｄ，２６ａ，２６ｂ，２７ａ，２７ｂ）を適宜選択することによって、当該ユーザーの所定の部位における生体インピーダンスを測定することが可能となる。例えば図１１（Ａ）に示すように、基準電流Ｉrefを左足用電流電極１４ｃと左手用電流電極２６ｂとの間に供給し、左足用電圧電極１４ｄと左手用電圧電極２７ｂとの間の電圧を検出すれば、全身の生体インピーダンスを計測することができる。また、図１１（Ｂ）に示すように、基準電流Ｉrefを右足用電流電極１４ａと右手用電流電極２６ａとの間に供給し、右足用電圧電極１４ｂと左足用電圧電極１４ｄとの間の電圧を検出すれば、右足の生体インピーダンスを計測することができる。また、図１１（Ｃ）に示すように、基準電流Ｉrefを左足用電流電極１４ｃと左手用電流電極２６ｂとの間に供給し、右足用電圧電極１４ｂと左足用電圧電極１４ｄとの間の電圧を検出すれば、左足の生体インピーダンスを計測することができる。また、図１１（Ｄ）に示すように、基準電流Ｉrefを右足用電流電極１４ａと右手用電流電極２６ａとの間に供給し、右手用電圧電極２７ａと左手用電圧電極２７ｂとの間の電圧を検出すれば、右手の生体インピーダンスを計測することができる。さらに、図１１（Ｅ）に示すように、基準電流Ｉrefを左足用電流電極１４ｃと左手用電流電極２６ｂとの間に供給し、右手用電圧電極２７ａと左手用電圧電極２７ｂとの間の電圧を検出すれば、左手の生体インピーダンスを計測することができるという具合である。
【００４４】
再び図９に戻って説明する。第２実施形態では、表示ユニット２０は、第５校正用電極３０ｅ、第６校正用電極３０ｆ、第７校正用電極３０ｇおよび第８校正用電極３０ｈを備える点で第１実施形態と相違する。第５校正用電極３０ｅは、第１把持電極ユニット２５ａに設けられた第１端子T1と接続可能であり、第６校正用電極３０ｆは、第１把持電極ユニット２５ａに設けられた第２端子T2と接続可能である。本実施形態では、第５校正用電極３０ｅおよび第６校正用電極３０ｆの各々は、オスのコネクタとして構成される一方、第１端子T1および第２端子T2の各々は、メスのコネクタとして構成される。そして、第５校正用電極３０ｅおよび第６校正用電極３０ｆが第１端子T1および第２端子T2とそれぞれ嵌合するように、第１把持電極ユニット２５ａが表示ユニット２０に接続されると、第５校正用電極３０ｅは第１端子T1を介して右手用電流電極２６ａと接続される一方、第６校正用電極３０ｆは第２端子T2を介して右手用電圧電極２７ａと接続されるという具合である。このようにして、第１把持電極ユニット２５ａは表示ユニット２０に対して着脱自在に接続され得る。
【００４５】
同様に、第７校正用電極３０ｇは、第２把持電極ユニット２５ｂに設けられた第３端子T3と接続可能であり、第８校正用電極３０ｈは、第２把持電極ユニット２５ｂに設けられた第４端子T4と接続可能である。本実施形態では、第７校正用電極３０ｇおよび第８校正用電極３０ｈの各々は、オスのコネクタとして構成される一方、第３端子T3および第４端子T4の各々は、メスのコネクタとして構成される。そして、第７校正用電極３０ｇおよび第８校正用電極３０ｈが第３端子T3および第４端子T4とそれぞれ嵌合するように、第２把持電極ユニット２５ｂが表示ユニット２０に接続されると、第７校正用電極３０ｇは第３端子T3を介して左手用電流電極２６ｂと接続される一方、第８校正用電極３０ｈは第４端子T4を介して左手用電圧電極２７ｂと接続されるという具合である。このようにして、第２把持電極ユニット２５ｂは表示ユニット２０に対して着脱自在に接続され得る。
【００４６】
図９に示すように、表示ユニット２０内には、互いに異なる抵抗値を有する複数の基準抵抗で各々が構成される複数の基準抵抗群Ｒgが設けられる。また、表示ユニット２０内には、複数の基準抵抗群Ｒgの各々を構成する複数の基準抵抗のうちの何れか１つを順番に選択する選択部７０Ｂが設けられる。
【００４７】
図１２は、複数の基準抵抗群Ｒgと、第１ないし第８校正用電極（３０ａ，３０ｂ，３０ｃ，３０ｄ，３０ｅ，３０ｆ，３０ｇ，３０ｈ）との接続関係を説明するための図である。図１２に示すように、複数の基準抵抗群Ｒgは、第１の基準抵抗群Ｒg1、第２の基準抵抗群Ｒg2、第３の基準抵抗群Ｒg3および第４の基準抵抗群Ｒg4からなる。第１の基準抵抗群Ｒg1は、それぞれの抵抗値が互いに異なる基準抵抗Rf11およびRf12からなる。第１の基準抵抗群Ｒg1は、第１校正用電極３０ａと第２校正用電極３０ｂとを短絡させる第１配線L1上の第１ノードND1に対応して設けられる。より具体的には、図１２に示すように、第１の基準抵抗群Ｒg1は、第１ノードND1と、各基準抵抗群（Ｒg1〜Ｒg4）が共通に接続される共通ノードNDcとの間に配置されるという具合である。
【００４８】
図１２に示すように、第１の基準抵抗群Ｒg1と第１ノードND1との間には、第１の選択用スイッチSW1が設けられる。第１の選択用スイッチSW1は、選択部７０Ｂから出力される選択信号SELに応じて、基準抵抗Rf11およびRf12のうちの何れか一方を、第１ノードND1に導通させる。つまり、基準抵抗Rf11およびRf12のうち選択部７０Ｂによって選択された基準抵抗は、第１ノードND1と共通ノードNDcとの間に電気的に接続されるという具合である。
【００４９】
同様に、第２の基準抵抗群Ｒg2は、それぞれの抵抗値が互いに異なる基準抵抗Rf13およびRf14からなる。第２の基準抵抗群Ｒg2は、第３校正用電極３０ｃと第４校正用電極３０ｄとを短絡させる第２配線L2上の第２ノードND2に対応して設けられる。より具体的には、第２の基準抵抗群Ｒg2は、第２ノードND2と共通ノードNDcとの間に配置されるという具合である。図１２に示すように、第２の基準抵抗群Ｒg2と第２ノードND2との間には、第２の選択用スイッチSW2が設けられる。第２の選択用スイッチSW2は、選択部７０Ｂから出力される選択信号SELに応じて、基準抵抗Rf13およびRf14のうちの何れか一方を、第２ノードND2と共通ノードNDcとの間に電気的に接続させる。
【００５０】
また、第３の基準抵抗群Ｒg3は、それぞれの抵抗値が互いに異なる基準抵抗Rf15およびRf16からなる。第３の基準抵抗群Ｒg3は、第５校正用電極３０ｅと第６校正用電極３０ｆとを短絡させる第３配線L3上の第３ノードND3に対応して設けられる。より具体的には、第３の基準抵抗群Ｒg3は、第３ノードND3と共通ノードNDcとの間に配置されるという具合である。図１２に示すように、第３の基準抵抗群Ｒg3と第３ノードND3との間には、第３の選択用スイッチSW3が設けられる。第３の選択用スイッチSW3は、選択部７０Ｂから出力される選択信号SELに応じて、基準抵抗Rf15およびRf16のうちの何れか一方を、第３ノードND3と共通ノードNDcとの間に電気的に接続させる。
【００５１】
さらに、第４の基準抵抗群Ｒg4は、それぞれの抵抗値が互いに異なる基準抵抗Rf17およびRf18からなる。第４の基準抵抗群Ｒg4は、第７校正用電極３０ｇと第８校正用電極３０ｈとを短絡させる第４配線L4上の第４ノードND4に対応して設けられる。より具体的には、第４の基準抵抗群Ｒg4は、第４ノードND4と共通ノードNDcとの間に配置されるという具合である。図１２に示すように、第４の基準抵抗群Ｒg4と第４ノードND4との間には、第４の選択用スイッチSW4が設けられる。第４の選択用スイッチSW4は、選択部７０Ｂから出力される選択信号SELに応じて、基準抵抗Rf17およびRf18のうちの何れか一方を、第４ノードND4と共通ノードNDcとの間に電気的に接続させる。
【００５２】
次に、生体情報測定装置１００のユーザーまたはサービス業者が、インピーダンス測定ボード５０Ｂの校正作業を行う場面を想定する。まず、ユーザーまたはサービス業者は、第１ないし第４校正用電極（３０ａ，３０ｂ，３０ｃ，３０ｄ）が右足用電流電極１４ａ、右足用電圧電極１４ｂ、左足用電流電極１４ｃおよび左足用電圧電極１４ｄとそれぞれ接触するように、表示ユニット２０の裏面２１を測定面１３上に載せ、かつ、第１ないし第４端子（T1，T2，T3，T4）が第５ないし第８校正用電極（３０ｅ，３０ｆ，３０ｇ，３０ｈ）とそれぞれ嵌合するように、第１把持電極ユニット２５ａおよび第２把持電極ユニット２５ｂを表示ユニット２０に接続する。この状態で、ユーザーまたはサービス業者が入力キー２４を操作して電源を投入すると、表示ユニット２０の表示部２３には、測定モードおよび校正モードのうちの何れかを選択することを促す画面が表示される。ユーザーまたはサービス業者が入力キー２４を操作して校正モードを選択すると、測定部制御ボード６０は校正用データ生成処理を開始する。
【００５３】
第２実施形態における校正用データ生成処理では、測定部制御ボード６０は、人体の各部位の生体インピーダンスの測定値データの校正に用いられる校正用データを生成する。一例として、ここでは、全身の生体インピーダンスの測定値データの校正に用いられる校正用データ（以下、「全身校正用データ」と呼ぶ）を生成する場合を想定する。測定部制御ボード６０は、表示ユニット２０内の第１ないし第４の基準抵抗群（Ｒg1，Ｒg2，Ｒg3，Ｒg4）の各々について、当該基準抵抗群を構成する複数の基準抵抗のうちの何れか１つを順番に選択するように表示ユニット２０を制御するとともに、インピーダンス測定処理を実行するようにインピーダンス測定ボード５０Ｂを制御する。そして、測定部制御ボード６０は、インピーダンスの測定結果に基づいて、全身校正用データを生成する。より具体的には以下のとおりである。
【００５４】
まず、測定部制御ボード６０は、第１の基準抵抗群Ｒg1の基準抵抗Rf11、第２の基準抵抗群Ｒg2の基準抵抗Rf13、第３の基準抵抗群Ｒg3の基準抵抗Rf15、および、第４の基準抵抗群Ｒg4の基準抵抗Rf17を選択することを指示する信号を、表示ユニット２０内の表示部制御ボード８０へ送信する。当該信号を受信した表示部制御ボード８０は、基準抵抗Rf11、Rf13、Rf15およびRf17を選択するように選択部７０Ｂを制御する。これにより、基準抵抗Rf11は第１ノードND1と共通ノードNDcとの間に電気的に接続され、基準抵抗Rf13は第２ノードND2と共通ノードNDcとの間に電気的に接続され、基準抵抗Rf15は第３ノードND3と共通ノードNDcとの間に電気的に接続され、基準抵抗Rf17は第４ノードND4と共通ノードNDcとの間に電気的に接続される。
【００５５】
そして、測定部制御ボード６０は、左足用電流電極１４ｃおよび左手用電流電極２６ｂのうちの一方の電極から、選択部７０Ｂで選択された基準抵抗を介して他方の電極へ至る電流経路を流れる基準電流Ｉrefの大きさを示す電流データＤｉと、左足用電圧電極１４ｄと左手用電圧電極２７ｂとの間の電圧を示す電圧データＤｖとから、インピーダンス（＝Ｄｖ／Ｄｉ）を算出するように、インピーダンス測定ボード５０Ｂを制御する。上述の第１実施形態と同様に、測定部制御ボード６０は、インピーダンス測定ボード５０Ｂから取得したインピーダンスの測定値データが、所定の範囲外の値を示すものであった場合は、校正用電極３０と測定用電極１４との接触状態が不良であると判定し、校正用データ生成処理を中止してエラーメッセージを表示するように表示ユニット２０を制御する。一方、インピーダンスの測定値データが、所定の範囲内の値を示すものであった場合は、その測定値データをメモリ（不図示）に記憶するとともに、その測定値データを表示するように表示ユニット２０を制御するという具合である。
【００５６】
次に、測定部制御ボード６０は、第１の基準抵抗群Ｒg1の基準抵抗Rf12、第２の基準抵抗群Ｒg2の基準抵抗Rf14、第３の基準抵抗群Ｒg3の基準抵抗Rf16、および、第４の基準抵抗群Ｒg4の基準抵抗Rf18を選択することを指示する信号を、表示ユニット２０内の表示部制御ボード８０へ送信する。当該信号を受信した表示部制御ボード８０は、基準抵抗Rf12、Rf14、Rf16およびRf18を選択するように選択部７０Ｂを制御する。これにより、基準抵抗Rf12は第１ノードND1と共通ノードNDcとの間に電気的に接続され、基準抵抗Rf14は第２ノードND2と共通ノードNDcとの間に電気的に接続され、基準抵抗Rf16は第３ノードND3と共通ノードNDcとの間に電気的に接続され、基準抵抗Rf18は第４ノードND4と共通ノードNDcとの間に電気的に接続される。そして、上記と同様に、測定部制御ボード６０は、インピーダンス測定処理を実行するようにインピーダンス測定ボード５０Ｂを制御する。
【００５７】
第１実施形態と同様に、測定部制御ボード６０は、上述のインピーダンスの測定結果と、基準抵抗の値（真のインピーダンス値）とに基づいて、校正用データ（全身校正用データ）を作成するとともに、その校正用データをメモリ（不図示）に記憶する。同様にして、測定部制御ボード６０は、人体の各部位（右足、左足、右手、左手等）の生体インピーダンスの測定値データの校正に用いられる校正用データを生成するという具合である。
【００５８】
以上に説明したように、本実施形態によれば、表示ユニット２０を本体１１の測定面１３上に載せ、かつ、第１把持電極ユニット２５ａおよび第２把持電極ユニット２５ｂを表示ユニット２０に接続するだけで、校正用データが得られるので、生体情報測定装置１００とは別個の校正用装置を持ち込んで校正作業を行う態様に比べて、校正作業を簡単に行うことができるという利点がある。
【００５９】
＜Ｃ：変形例＞
本発明は上述した実施形態に限定されるものではなく、例えば、以下の変形が可能である。また、以下に示す変形例のうちの２以上の変形例を組み合わせることもできる。
【００６０】
（１）変形例１
上述の第１実施形態では、表示ユニット２０は、２つの基準抵抗（Rf1，Rf2）を有する態様が例示されているが、これに限らず、表示ユニット２０が有する基準抵抗の数は任意である。要するに、表示ユニット２０は、それぞれが、互いに異なる抵抗値を有する複数の基準抵抗を有するものであればよい。また、各基準抵抗の抵抗値も任意に設定可能である。
【００６１】
また、上述の第２実施形態では、各基準抵抗群（Ｒg1〜Ｒg4）は、２つの基準抵抗からなる態様が例示されているが、これに限らず、各基準抵抗群を構成する基準抵抗の数やその抵抗値は任意である。要するに、各基準抵抗群（Ｒg1〜Ｒg4）は、互いに異なる抵抗値を有する複数の基準抵抗からなるものであればよい。
【００６２】
（２）変形例２
上述の第１実施形態では、選択用スイッチSWは、第１基準抵抗Rf1および第２基準抵抗Rf2と、第１ノードND1との間に設けられているが、これに限らず、第１基準抵抗Rf1および第２基準抵抗Rf2と、第２ノードND2との間に選択用スイッチSWが設けられてもよい。
【００６３】
また、上述の第２実施形態では、第１の選択用スイッチSW1は、第１の基準抵抗群Ｒg1と第１ノードND1との間に設けられているが、これに限らず、第１の基準抵抗群Ｒg1と共通ノードNDcとの間に第１の選択用スイッチSW1が設けられてもよい。同様に、第２の基準抵抗群Ｒg2と共通ノードNDcとの間に第２の選択用スイッチSW2が設けられてもよいし、第３の基準抵抗群Ｒg3と共通ノードNDcとの間に第３の選択用スイッチSW3が設けられてもよいし、第４の基準抵抗群Ｒg4と共通ノードNDcとの間に第４の選択用スイッチSW4が設けられてもよい。
【００６４】
（３）変形例３
上述の各実施形態では、表示部制御ボード８０と測定部制御ボード６０とがケーブル１を介して通信可能に接続されているが、これに限らず、表示部制御ボード８０と測定部制御ボード６０とが無線により通信可能に接続されてもよい。
【符号の説明】
【００６５】
１１……本体、１２……支柱、１３……測定面、１４ａ……右足用電流電極、１４ｂ……右足用電圧電極、１４ｃ……左足用電流電極、１４ｄ……左足用電圧電極、２０……表示ユニット、２１……裏面、２２……表面、２３……表示部、２４……入力キー、２５ａ……第１把持電極ユニット、２５ｂ……第２把持電極ユニット、２６ａ……右手用電流電極、２６ｂ……左手用電流電極、２７ａ……右手用電圧電極、２７ｂ……左手用電圧電極、２８……導線、２９ａ，２９ｂ……ケーブル、３０ａ……第１校正用電極、３０ｂ……第２校正用電極、３０ｃ……第３校正用電極、３０ｄ……第４校正用電極、３０ｅ……第５校正用電極、３０ｆ……第６校正用電極、３０ｇ……第７校正用電極、３０ｈ……第８校正用電極、３２ａ，３２ｂ，３３ａ，３３ｂ……コネクタ、４０……重量測定ボード、４２……重量センサ、５０Ａ，５０Ｂ……インピーダンス測定ボード、５１……交流電流出力回路、５２……基準電流検出回路、５３……電位差検出回路、５４……Ａ／Ｄ変換器、５５……制御部、６０……測定部制御ボード、７０Ａ，７０Ｂ……選択部、８０……表示部制御ボード、９０……電源ボード、１００，２００……生体情報測定装置、２５１，２５２……電極切替回路、ND1……第１ノード、L1……第１配線、L2……第２配線、L3……第３配線、L4……第４配線、ND2……第２ノード、ND3……第３ノード、ND4……第４ノード、NDc……共通ノード、Rf1……第１基準抵抗、Rf2……第２基準抵抗、Rf11〜Rf18……基準抵抗、Ｒg1……第１の基準抵抗群、Ｒg2……第２の基準抵抗群、Ｒg3……第３の基準抵抗群、Ｒg4……第４の基準抵抗群、SW1……第１の選択用スイッチ、SW2……第２の選択用スイッチ、SW3……第３の選択用スイッチ、SW4……第４の選択用スイッチ、SEL……選択信号。
【図１】
0005448179.tif 000002
【図２】
0005448179.tif 000003
【図３】
0005448179.tif 000004
【図４】
0005448179.tif 000005
【図５】
0005448179.tif 000006
【図６】
0005448179.tif 000007
【図７】
0005448179.tif 000008
【図８】
0005448179.tif 000009
【図９】
0005448179.tif 000010
【図１０】
0005448179.tif 000011
【図１１】
0005448179.tif 000012
【図１２】
0005448179.tif 000013